(57)【要約】  第１の周波数帯域および第２の周波数帯域における少なくとも１つのアンテナシステム（１１０）の性能を測定するための測定装置。前記測定装置は、アンテナシステム（１１０）を囲むように構成された内向きの無線周波数反射壁（１２１）を有する外側チャンバ（１２０）と、外側チャンバ（１２０）の内部に配置することができる内側チャンバ（１４０）とを備え、内側チャンバ（１４０）は、アンテナシステム（１１０）を囲むように構成された無線周波数吸収壁（１４１）を有し、第１の試験アンテナ装置（１３０）が、外側チャンバ（１２０）の内部に配置され、第１の周波数帯域における測定動作（１３１）に合わせて構成され、第２の試験アンテナ装置（１５０）が、内側チャンバ（１４０）の内部に配置され、第２の周波数帯域における測定動作（１５１）に合わせて構成され、無線周波数吸収壁（１４１）が、或るレベルの無線周波数信号透過性を有し、それによって第１の試験アンテナ装置（１３０）による反射無線周波数環境におけるアンテナシステム（１１０）の性能の測定および第２の試験アンテナ装置（１５０）による本質的に無響の無線周波数環境におけるアンテナシステム（１１０）の性能の測定を可能にする。【選択図】図１
2021536002.tif 000002
【特許請求の範囲】
【請求項１】
第１の周波数帯域および第２の周波数帯域における少なくとも１つのアンテナシステム（１１０）の性能を測定するための測定装置（１００，２００，２５０，３００，４００，８００，９００）であって、前記測定装置は、アンテナシステム（１１０）を囲むように構成された内向きの無線周波数反射壁（１２１）を有する外側チャンバ（１２０）と、外側チャンバ（１２０）の内部に配置することができる内側チャンバ（１４０）とを備え、内側チャンバ（１４０）は、アンテナシステム（１１０）を囲むように構成された無線周波数吸収壁（１４１）を有し、第１の試験アンテナ装置（１３０）が、外側チャンバ（１２０）の内部に配置され、第１の周波数帯域における測定動作（１３１）に合わせて構成され、第２の試験アンテナ装置（１５０）が、内側チャンバ（１４０）の内部に配置され、第２の周波数帯域における測定動作（１５１）に合わせて構成され、無線周波数吸収壁（１４１）が、或るレベルの無線周波数信号透過性を有し、それによって第１の試験アンテナ装置（１３０）による反射無線周波数環境におけるアンテナシステム（１１０）の性能の測定および第２の試験アンテナ装置（１５０）による本質的に無響の無線周波数環境におけるアンテナシステム（１１０）の性能の測定を可能にする、測定装置（１００，２００，２５０，３００，４００，８００，９００）。
【請求項２】
外側チャンバ（１２０）の内側に配置され、少なくとも１つのアンテナシステム（１１０）を第１の試験アンテナ装置（１３０）に対して動かすように構成された第１の変位機構（２４０）を備える、請求項１に記載の測定装置（２００，３００，４００，８００，９００）。
【請求項３】
内側チャンバ（１４０）の内側に配置され、少なくとも１つのアンテナシステム（１１０）を第２の試験アンテナ装置（１５０）に対して動かすように構成された第２の変位機構（２３０）または第３の変位機構（２６０）を備える、請求項１又は２に記載の測定装置（２００，２５０，３００，４００，８００，９００）。
【請求項４】
内側チャンバ（１４０）の無線周波数吸収壁（１４１）は、第１の周波数帯域と比べて第２の周波数帯域において無線周波数信号の減衰が大きくなるように構成されたメタ材料または周波数選択材料を含む、請求項１〜３のいずれかに記載の測定装置（１００，２００，２５０，３００，４００，８００，９００）。
【請求項５】
内側チャンバ（１４０）は、外側チャンバ（１２０）から取り外すことができるように配置される、請求項１〜４のいずれかに記載の測定装置（１００，２００，２５０，３００，４００，８００，９００）。
【請求項６】
制御ユニット（１６０）は、無線周波数試験信号を第１の試験アンテナ装置（１３０）と第２の試験アンテナ装置（１５０）との間で分割するように配置され、それによって見通し線（ＬＯＳ）動作およびリッチ等方性マルチパス（ＲＩＭＰ）動作の両方を含む測定動作を可能にする、請求項１〜５のいずれかに記載の測定装置（１００，２００，２５０，３００，４００，８００，９００）。
【請求項７】
内側チャンバ（１４０）の無線周波数吸収壁（１４１）のうちの少なくとも１つは、外側チャンバ（１２０）への開口部（８１０）を有し、第２の試験アンテナ装置（１５０’）の少なくとも一部は、内側チャンバ（１４０）の外に配置され、主ローブ（１５１’）を有する指向性アンテナとして構成され、主ローブは、第２の試験アンテナ装置（１５０’）による送信が主に内側チャンバ（１４０）の内側に配置されるよう、開口部（８１０）へと向けられるように配置され、それによって第１の試験アンテナ装置（１３０）による反射無線周波数環境におけるアンテナシステム（１１０）の性能の測定および第２の試験アンテナ装置（１５０’）による本質的に無響の無線周波数環境におけるアンテナシステム（１１０）の性能の測定を可能にする、請求項１〜６のいずれかに記載の測定装置（８００）。
【請求項８】
開口部（８１０）は、第２の試験アンテナ装置（１５０’）の一部分から距離Ｄ２に配置され、開口部（８１０）は、距離Ｄ２における主ローブのアンテナ図に一致する形状を有する、請求項１０又は１１に記載の測定装置（８００）。
【請求項９】
内側チャンバ（１４０）の無線周波数吸収壁（１４１）の少なくとも一部分は、外側チャンバ（１２０）の内向きの無線周波数反射壁（１２１）に接続して配置された周波数選択反射壁（９１０）であり、周波数選択反射壁（９１０）は、第１の周波数帯域の無線周波数信号を反射し、第２の周波数帯域の無線周波数信号を吸収するように配置され、それによって第１の試験アンテナ装置（１３０）による反射無線周波数環境におけるアンテナシステム（１１０）の性能の測定および第２の試験アンテナ装置（１５０’）による本質的に無響の無線周波数環境におけるアンテナシステム（１１０）の性能の測定を可能にする、請求項１〜８のいずれかに記載の測定装置（９００）。
【請求項１０】
測定装置（１００、２００、２５０、３００、４００）によって第１の周波数帯域および第２の周波数帯域における少なくとも１つのアンテナシステム（１１０）の性能を測定するための方法であって、前記方法は、外側チャンバ（１２０）を、アンテナシステム（１１０）を囲むように内向きの無線周波数反射壁（１２１）で構成するステップ（Ｓ１）と、外側チャンバ（１２０）の内部に配置することができる内側チャンバ（１４０）を、アンテナシステム（１１０）を囲むように構成し、無線周波数吸収壁（１４１）が、或るレベルの無線周波数信号透過性を有するステップ（Ｓ２）と、第１の試験アンテナ装置（１３０）を、外側チャンバ（１２０）の内部で、第１の周波数帯域における測定動作（１３１）に合わせて構成するステップ（Ｓ３）と、第２の試験アンテナ装置（１５０）を、内側チャンバ（１４０）の内部でまたは外部で、第２の周波数帯域における測定動作（１５１）に合わせて構成するステップ（Ｓ４）と、第１の試験アンテナ装置（１３０）によって反射の無線周波数環境においてアンテナシステム（１１０）の性能を測定し、第２の試験アンテナ装置（１５０）によって本質的に無響の無線周波数環境においてアンテナシステム（１１０）の性能を測定するステップ（Ｓ５）とを含む、方法。
【発明の詳細な説明】
【技術分野】
【０００１】
本開示は、一般に、アンテナシステムおよび無線装置のための試験設備に関する。アンテナシステムの性能の測定および無線装置の試験のためのシステムおよび方法も開示される。
【背景技術】
【０００２】
電磁残響チャンバ（ＥＲＣ）またはモードかくはんチャンバ（ＭＳＣ）としても知られる残響チャンバ（ＲＣ）が、アンテナシステムおよび無線装置の無線通信性能を測定するための効果的なツールとなっている。ＲＣは、主として、無線周波数反射環境におけるアンテナシステムの性能、すなわち試験対象装置（ＤＵＴ）が多重伝播に曝される場合のアンテナシステムの性能を、評価するために使用される。
【０００３】
ＲＣにおいて、信号が、試験アンテナ装置によって、内側へと無線周波数を反射させる壁を備えている閉じたチャンバまたはキャビティに注入される。信号は、多数の異なる軌道を通り、複数回の反射の後にＤＵＴに到達する。これにより、受信機において無線周波数信号のフェージング状態が生じる。モードかくはんプレートおよび／またはＤＵＴが配置されたターンテーブルを動かすことによって、チャンバの形状が変化し、したがってアンテナシステムが被るフェージング状態が変化する。したがって、さまざまな入射波組成を有する多数のフェージング状態を試験することができるリッチ等方性マルチパス（ＲＩＭＰ）環境が効率的に生成される。
【０００４】
６ＧＨｚ未満などのより低い無線周波数において、送信された無線信号の伝搬は、通常は、マルチパス伝搬によって支配される。これらの状況においては、送信機と受信機との間に多数の伝搬経路が存在する。これらの伝搬経路のすべてが受信アンテナにおいて結合し、フェージングを引き起こす。したがって、ＲＣにおいて好都合に生成されるこれらの低周波数帯域におけるＲＩＭＰ環境でのＤＵＴの性能を測定することが、頻繁に望まれる。
【０００５】
しかしながら、無線周波数が高くなると、環境による回折、反射、および透過が少なくなるため、散乱およびマルチパス伝搬は弱くなる。このため、１４ＧＨｚを超えるような高い周波数の無線チャネルは、散乱成分が少なく、見通し線（ＬＯＳ）がより支配的になる傾向にある。大部分の既知のＲＣは、ＬＯＳが支配的な伝搬環境における性能の測定に適していない。むしろ、ＬＯＳが支配的なチャネルにおけるアンテナシステムの性能は、一般に、ＲＣとは本質的に異なる無響チャンバ（ＡＣ）において測定される。
【０００６】
マルチパス伝搬が支配的な第１の周波数帯域および強いＬＯＳ成分が存在する第２の周波数帯域においてアンテナシステムの性能を測定するための同時試験能力を提供することが必要とされている。
【０００７】
米国特許第８８５４２４６号明細書が、電磁無響試験チャンバを電磁残響試験チャンバに変換する方法を開示している。このやり方で、マルチパス伝搬環境およびＬＯＳが支配的な伝搬環境における性能を試験することができる。しかしながら、この提案の方法は、費用および時間を要し、複数の関連する周波数帯域の同時試験を可能にしていない。
【発明の概要】
【０００８】
本開示の目的は、第１の周波数帯域および第２の周波数帯域における少なくとも１つのアンテナシステムの性能を測定するための改善された測定装置、システム、および方法を提供することである。
【０００９】
この目的は、第１の周波数帯域および第２の周波数帯域における少なくとも１つのアンテナシステムの性能を測定するための測定装置によって達成される。測定装置は、アンテナシステムを囲むように構成された内向きの無線周波数反射壁を有する外側チャンバと、外側チャンバの内部に配置することができる内側チャンバとを備える。
【００１０】
内側チャンバは、アンテナシステムを囲むように構成された無線周波数吸収壁を有する。第１の試験アンテナ装置が、外側チャンバの内部に配置され、第１の周波数帯域における測定動作に合わせて構成される。第２の試験アンテナ装置が、内側チャンバの内部に配置され、第２の周波数帯域における測定動作に合わせて構成される。無線周波数吸収壁が、或るレベルの無線周波数信号透過性を有し（ａｓｓｏｃｉａｔｅｄ  ｗｉｔｈ）、それによって第１の試験アンテナ装置による反射無線周波数環境におけるアンテナシステムの性能の測定および第２の試験アンテナ装置による本質的に無響の無線周波数環境におけるアンテナシステムの性能の測定を可能にする。
【００１１】
このようにして、好都合なことに、アンテナシステムの性能を反射伝搬環境および本質的に無響の無線周波数環境において同時に測定および評価することができる。
【００１２】
一部の無線通信システムは、キャリアアグリゲーション構成において複数の搬送波を使用し、搬送波は、完全に異なる帯域の周波数に存在することができる。この一例は、Ｎｅｗ  Ｒａｄｉｏ（ＮＲ）と呼ばれることもある第５世代セルラー無線システム（５Ｇ）である。ＮＲは、６ＧＨｚ未満の従来からの周波数で動作すると同時に、２８ＧＨｚなどのミリ波周波数での動作をサポートする。本開示の測定装置は、反射環境およびＬＯＳが支配的な伝搬環境における性能を同時に測定することができるという点で、ＮＲ用に設計されたアンテナシステムの試験に適する。
【００１３】
好都合なことに、本開示の測定装置は、ＬＯＳが支配的な環境のための設備が反射環境のための設備と統合されているため、費用効率の高い測定動作を可能にする。
【００１４】
好都合なことに、本開示の測定装置は、反射環境における測定を、ＬＯＳが支配的な環境における測定と並行して実行できるため、時間効率の高い測定動作を可能にする。
【００１５】
いくつかの態様によれば、無線周波数吸収壁は、第２の周波数帯域において、第１の周波数帯域と比べてより大きな無線周波数信号減衰を有する。したがって、無線周波数吸収壁による第１の周波数帯域における測定動作への影響が、第２の周波数帯域における測定動作の無響性を維持しつつ低減される。結果として、測定動作の精度および分解能が向上する。
【００１６】
いくつかの態様によれば、無線周波数吸収壁の少なくとも１つは、内向きの無線周波数反射壁から離して配置されることで、内向きの無線周波数反射壁と内側チャンバとの間に体積を定める。この体積は、第１の周波数帯域の無線周波数信号が、多数の信号伝搬経路に沿って伝搬し、内向きの無線周波数反射壁で反射することを可能にし、したがって外側チャンバの内部に第１の周波数帯域のＲＩＭＰ環境をもたらすことができる。
【００１７】
いくつかの態様によれば、測定装置は、内向きの無線周波数反射壁と内側チャンバとの間の体積に配置された少なくとも１つのモードかくはん装置を備える。少なくとも１つのモードかくはん装置は、測定装置のフェージング状態を決定するように配置される。このようにして、ＲＩＭＰ環境の状態を効率的に変更して、外側チャンバ内に複数の異なる無線周波数信号フェージング状態をもたらすことができる。
【００１８】
いくつかの態様によれば、第１の試験アンテナ装置および第２の試験アンテナ装置のいずれも、少なくとも１つのアンテナシステムに対して可動に構成される。試験アンテナ装置がアンテナシステムに対して可動であることにより、さらなる追加のフェージング状態および測定配置を生み出すことができ、好都合である。
【００１９】
いくつかの態様によれば、測定装置は、外側チャンバの内側に配置され、少なくとも１つのアンテナシステムを第１の試験アンテナ装置に対して動かすように構成された第１の変位機構を備える。このようにして、さらに多くのフェージング状態および測定配置を生み出すことができ、好都合である。第１の変位機構を、内側チャンバ全体を動かすように構成してもよい。このようにして、少なくとも１つのアンテナシステムは、第１の試験アンテナ装置に対して動かされるが、第２の試験アンテナ装置に対して動かされることがない。これは、外側チャンバおよび内側チャンバの相対的な試験アンテナ装置の配置が互いに独立しているため、アンテナ図を第２の周波数帯域において評価しつつ、第１の周波数帯域においてＲＩＭＰ測定を実行する場合に好都合であり得る。
【００２０】
いくつかの態様によれば、測定装置は、内側チャンバの内側に配置され、少なくとも１つのアンテナシステムを第２の試験アンテナ装置に対して動かすように構成された第２の変位機構を備える。この第２の変位機構を、例えば強力なＬＯＳ無線周波数信号成分によって支配される本質的に無響の環境において少なくとも１つのアンテナシステムのアンテナ図を測定するために好都合に使用することができる。
【００２１】
いくつかの態様によれば、第２の試験アンテナ装置は、第２の試験アンテナ装置をアンテナシステムに対して位置決めするように構成されたプローブアンテナ位置決め装置上に配置される。プローブアンテナ位置決め装置を、随意により、少なくとも部分的に内側チャンバの外側に配置することができる。これは、プローブアンテナ位置決め装置を取り除くことによって内側チャンバの無響性が改善されるため、好都合である。また、空間が限られている可能性がある内側チャンバ内に収める必要がないため、より複雑なプローブアンテナ位置決め装置を使用することができる。
【００２２】
いくつかの態様によれば、内側チャンバの無線周波数吸収壁は、カーボン充てん吸収材料を含み、カーボン充てん吸収材料は、第１および第２の周波数帯域におけるカーボン充てん吸収材料の減衰の要件に応じた厚さで構成される。カーボン充てん吸収材料の無線周波数信号の減衰を、使用される材料のさまざまな厚さを選択することによって制御することができる。厚さが大きいほど減衰が強くなり、厚さが小さいほど減衰が弱くなる。また、減衰は、無線信号の周波数によっても異なり、高い周波数の信号は、低い周波数の信号よりも大きく減衰する。したがって、無線周波数吸収壁に使用されるカーボン充てん材料の厚さを、第１および第２の周波数帯域におけるカーボン充てん吸収材料の減衰に応じて選択することにより、第１の周波数帯域における所望の信号透過性を得ると同時に、第２の周波数帯域における充分な信号の減衰を得ることができる。
【００２３】
いくつかの態様によれば、内側チャンバの無線周波数吸収壁は、第１の周波数帯域と比べて第２の周波数帯域において無線周波数信号の減衰が大きくなるように構成されたメタ材料または周波数選択材料を含む。これは、吸収壁による第１の周波数帯域と第２の周波数帯域との間の減衰の差を大きくすることができるため、好都合である。理想的には、いくつかの測定動作に関して、第２の周波数帯域における減衰が無限大である一方で、第１の周波数帯域における減衰は存在しない。
【００２４】
いくつかの態様によれば、内側チャンバは、外側チャンバから取り外すことができるように配置される。これにより、測定装置を、外側チャンバから内側チャンバを物理的に取り除くことによって、伝統的なＲＣに容易に変換することができる。また、第２の周波数帯域におけるさまざまな種類の測定動作のために、さまざまな異なる種類の内側チャンバを共通の外側チャンバに組み合わせて使用することができる。この場合、実行される測定動作の種類に基づいて特定の内側チャンバを選択し、外側チャンバへと挿入することができる。
【００２５】
いくつかの態様によれば、内側チャンバは、無線周波数吸収壁を解放可能に保持するように配置されたフレーム構造を備える。内側チャンバが外側チャンバから取り除くことができるように配置される態様と同様に、今や測定装置を、フレーム構造から吸収壁を取り除くことによって伝統的なＲＣに好都合に変換することができ、好都合である。また、フレーム構造においてさまざまな種類の吸収壁を使用することで、さまざまな測定動作を構成することができ、好都合である。例えば、さまざまな種類の測定動作およびさまざまな無線周波数帯域に合わせて、減衰特性の異なるさまざまな壁を使用することができる。
【００２６】
いくつかの態様によれば、内側チャンバは、複数の方向に均一なレベルの無線周波数吸収をもたらすように構成された対称形状を有する。これは、測定の精度および測定の再現性を向上させることができるため、好都合である。
【００２７】
いくつかの態様によれば、内側チャンバの無線周波数吸収壁は、内側チャンバの形状に応じて決定される可変の厚さで構成される。内側チャンバの形状に応じて変化する厚さを選択することにより、内側チャンバの形状の不規則性にもかかわらず、複数の方向の無線周波数の吸収のレベルをより均一にすることができ、好都合である。
【００２８】
いくつかの態様によれば、内側チャンバは、内側チャンバの外面に配置され、外側チャンバの内向きの無線周波数反射壁に面する１つ以上の無線周波数反射パッチを備える。好都合なことに、パッチは外側チャンバの負荷を減らし、第１の周波数帯域における測定動作の精度を高める。
【００２９】
いくつかの態様によれば、測定装置は、内側チャンバの内部の温度レベルを生成および制御するように配置された熱制御ユニットを備える。したがって、内側チャンバが、温度チャンバという追加の目的を果たし、好都合である。随意により、アンテナシステムを囲むように構成された壁は、断熱となるように配置される。断熱壁は、温度チャンバの性能およびエネルギー効率を改善し、好都合である。測定装置に温度機能を組み込むことにより、温度変化を含む第３の測定動作を、第１および第２の測定動作と並行して実行することができる。
【００３０】
いくつかの態様によれば、制御ユニットは、第１の周波数帯域における測定動作に関連する時間遅延スプレッドを制御するように構成された無線周波数チャネル伝搬エミュレータを備える。内側チャンバにおける電力遅延スプレッドは、ＲＣにおいて一般的な電力遅延スプレッドよりも小さい。これを補うために、チャネルエミュレータを利用して、時間遅延スプレッドを大きくすることができる。空間遅延スプレッドは、ＲＣ環境によって依然としてもたらされる。これにより、測定精度が向上し、好都合である。
【００３１】
いくつかの態様によれば、制御ユニットは、無線周波数試験信号を第１の試験アンテナ装置と第２の試験アンテナ装置との間で分割することにより、見通し線（ＬＯＳ）動作およびリッチ等方性マルチパス（ＲＩＭＰ）動作の両方を含む測定動作を可能にするように構成される。結果として、測定装置は、複雑な伝搬環境のエミュレーションを含む高度な測定動作をサポートすることができ、好都合である。
【００３２】
測定装置によって第１の周波数帯域および第２の周波数帯域における少なくとも１つのアンテナシステムの性能を測定するための方法も、本明細書に開示される。この方法は、外側チャンバを、アンテナシステムを囲むように内向きの無線周波数反射壁で構成するステップと、外側チャンバの内部に配置することができる内側チャンバを、アンテナシステムを囲むように無線周波数吸収壁で構成するステップとを含む。無線周波数吸収壁は、第１の周波数帯域において或るレベルの無線周波数信号透過性を有する。この方法は、第１の試験アンテナ装置を、外側チャンバの内部で、第１の周波数帯域における測定動作に合わせて構成するステップと、第２の試験アンテナ装置を、内側チャンバの内部で、第２の周波数帯域における測定動作に合わせて構成するステップと、第１の試験アンテナ装置によって反射の無線周波数環境においてアンテナシステムの性能を測定し、第２の試験アンテナ装置によって本質的に無響の無線周波数環境においてアンテナシステムの性能を測定するステップとをさらに含む。
【００３３】
本明細書に開示される方法は、種々の測定装置に関連して上述した利点と同じ利点を有する。さらに、本明細書に記載の動作のいくつかを制御するように構成された制御ユニットが、本明細書に開示される。
【００３４】
一般に、特許請求の範囲において使用されるすべての用語は、本明細書で別段の定めがない限り、この技術分野におけるそれらの用語の通常の意味に従って解釈されるべきである。「要素、装置、構成要素、手段、ステップ、など」への言及はすべて、とくに明記されない限り、要素、装置、構成要素、手段、ステップ、などの少なくとも１つの実例を指すものとして、非排他的に解釈されるべきである。本明細書に開示されるあらゆる方法のステップは、とくに明示されない限り、開示のとおりの順序で実行される必要はない。本発明のさらなる特徴および利点が、添付の特許請求の範囲および以下の説明を検討することで、明らかになるであろう。本発明の範囲から逸脱することなく、本発明のさまざまな特徴を組み合わせて、以下で説明される実施形態以外の実施形態を生み出すことができることを、当業者であれば理解できるであろう。
【図面の簡単な説明】
【００３５】
次に、本開示を、添付の図面を参照してさらに詳しく説明する。
【００３６】
【図１】図１は、アンテナシステムの性能を測定するための例示的な測定装置を概略的に示している。
【図２Ａ−２Ｂ】図２Ａ−２Ｂは、アンテナシステムの性能を測定するための例示的な測定装置を概略的に示している。
【図３】図３は、アンテナシステムの性能を測定するための例示的な測定装置を概略的に示している。
【図４】図４は、アンテナシステムの性能を測定するための例示的な測定装置を概略的に示している。
【００３７】
【図５】図５は、例示的な制御ユニットを示している。
【００３８】
【図６】図６は、コンピュータプログラム製品を示している。
【００３９】
【図７】図７は、方法を説明するフローチャートである。
【００４０】
【図８Ａ−８Ｂ】図８Ａ−８Ｂは、アンテナシステムの性能を測定するための例示的な測定装置を概略的に示している。
【図９Ａ−９Ｃ】図９Ａ−９Ｃは、アンテナシステムの性能を測定するための例示的な測定装置を概略的に示している。
【発明を実施するための形態】
【００４１】
次に、本開示のいくつかの態様を、添付の図面を参照してさらに充分に説明する。しかしながら、本明細書に開示される種々の装置および方法は、多数の異なる形態で実現可能であり、本明細書に記載される態様に限定されると解釈されるべきではない。図中の同様の番号は、全体を通して、同様の要素を指している。
【００４２】
本明細書において使用される用語は、あくまでも本開示の態様を説明するためのものにすぎず、本発明を限定しようとするものではない。本明細書において使用される場合、単数形「ａ」、「ａｎ」、および「ｔｈｅ」は、そのようでないことが文脈から明らかでない限り、複数形も含むように意図される。
【００４３】
上述のように、残響チャンバ（ＲＣ）は、マルチパス伝搬の状況において無線システムを試験するための単刀直入な解決策を提供する。ＲＣは、多入力多出力（ＭＩＭＯ）として知られる通信のために送信機および受信機の複数のアンテナ間のマルチパス信号伝搬に依存する装置、および同時にいくつかの周波数帯域を使用して動作する装置の試験にとくに適する。
【００４４】
試験信号は、試験対象のアンテナシステムまたはＲＣの試験アンテナ装置のいずれかによって注入できると理解される。したがって、ＲＣを、アップリンクおよびダウンリンクの両方の無線動作を測定するために使用することができる。
【００４５】
無響チャンバ（ＡＣ）は、無線通信装置の試験の解決策として長い歴史を有する。ＡＣは、無線信号吸収材料によって囲まれたチャンバまたはキャビティである。その最も顕著な特徴は、反射信号のレベルがきわめて低いことであり、すなわちＲＣとは反対である。ＡＣは、一般に、試験対象装置が単一の到着方向から入射する無線信号に曝される場合の無線（ＯＴＡ）性能の測定に使用される。この方法は、装置またはアンテナシステムのアンテナパターンあるいはアンテナパターンに関連する指標の測定が望まれる場合にとくに適する。
【００４６】
多数の最近の通信システムは、キャリアアグリゲーションを使用して無線システムの性能を向上させる。キャリアアグリゲーションは、利用可能な帯域幅を増やすために、周波数が充分に離れている場合もある複数の搬送波の使用を含む。この一例が、第３世代パートナーシッププログラム（３ＧＰＰ）によって定められた第５世代（５Ｇ）無線システムであり、Ｎｅｗ  Ｒａｄｉｏ（ＮＲ）と呼ばれることもある。ＮＲは、６ＧＨｚ未満の従来からの周波数で動作すると同時に、２８ＧＨｚなどのミリ波周波数での動作をサポートする。
【００４７】
さらに、いくつかの最新の通信システムにおいては、通信信号の信号対雑音比（ＳＮＲ）を向上させるために多数のアンテナ素子を使用してビームを形成するさまざまな種類のアンテナアレイが利用されている。これらのシステムの多くにおいて、アンテナポートに使用可能なコネクタが存在しないため、以前は伝導での試験が可能であった多数のパラメータを、今や無線（ＯＴＡ）で試験しなければならず、すなわち試験対象のアンテナシステムを使用し、装置を動作させて、送信および受信される無線周波数信号を監視することによって試験しなければならない。
【００４８】
低い周波数（６ＧＨｚ未満）において、送信信号の伝搬はマルチパス散乱によって支配される。これらの状況においては、送信機と受信機との間に多数の伝搬経路が存在する。これらの伝搬経路のすべてが受信アンテナにおいて結合し、フェージングを引き起こす。したがって、多くの場合、リッチ等方性マルチパス（ＲＩＭＰ）環境において装置の性能を測定することが望まれ、これはＲＣにおいて好都合に生成される。
【００４９】
他方で、高い周波数においては、散乱がはるかに弱くなる。回折、反射、および透過が少なくなる。このため、高い周波数の無線チャネルは、散乱成分が少なく、見通し線（ＬＯＳ）がより支配的になる傾向を有する。したがって、アンテナパターンに関連する指標を測定することが望まれ、これはＡＣにおいて便利に行われる。
【００５０】
低い周波数および高い周波数の伝搬の挙動が異なるこれらの通信システムのための同時試験機能を提供する必要がある。本開示は、ＲＩＭＰチャネル特性がＲＣを使用して生成され、ＬＯＳが支配的なチャネル特性が無響チャンバを使用して生成されるそのような解決策のいくつかの態様を説明する。異なるチャネル特性を同時に生成するために、ＡＣが特定の構成にて内部に配置されたＲＣが利用される。
【００５１】
したがって、本明細書で提案される方法および装置の中心的な考え方は、無線周波数信号吸収材料から製作されたＡＣをＲＣの内部に配置し、ＤＵＴをＡＣの内部に配置することである。次いで、ＡＣ内の１つの試験アンテナ装置およびＲＣ内の１つの試験アンテナ装置を使用し、試験信号をＤＵＴへと送信し、さらには／あるいはＤＵＴから受信して、測定を実行することができる。
【００５２】
結果として、本明細書に開示される測定装置を、少なくとも１つのアンテナシステムのマルチパス動作性能を測定するように構成することができる。
【００５３】
したがって、本明細書に開示される測定装置を、少なくとも１つのアンテナシステムのアンテナパターンに関連する試験指標を測定するように構成することができる。
【００５４】
図１は、第１の周波数帯域および第２の周波数帯域における少なくとも１つのアンテナシステム１１０の性能を測定するための測定装置１００を概略的に示している。
【００５５】
本明細書において、アンテナシステム１１０の性能は、例えば、放射図、透過係数、反射係数、および／またはＳパラメータなどのアンテナシステムの特性を指すことができる。また、アンテナシステムの性能は、例えば、ビット誤り率（ＢＥＲ）、パケット誤り率（ＰＥＲ）、または瞬断などの信頼性測定などのシステムレベルにおける性能を指すこともできる。さらに、性能は、標準的な準拠性試験などを指すことができる。
【００５６】
少なくとも１つのアンテナシステムは、ＤＵＴである。無線装置は、異なる帯域における動作のための複数のアンテナシステムを備えることができる。提案される装置において、いくつかのアンテナシステム１１０を同時に試験し、測定し、あるいは特性評価することができると理解される。
【００５７】
第１および第２の周波数帯域は、通常は、異なる周波数帯域であるが、いくつかの例示的な測定の状況においては、同じ周波数帯域であってもよい。
【００５８】
例えば、第１の周波数帯域が、例えば約６ＧＨｚなどの低い周波数を含むことができる一方で、第２の周波数帯域は、例えば１４ＧＨｚを超える高い周波数を含むことができる。
【００５９】
したがって、いくつかの態様によれば、第１の周波数帯域は、６ＧＨｚ未満の周波数を含み、第２の周波数帯域は、６ＧＨｚを超える周波数を含む。第２の周波数帯域は、例えば、約２８ＧＨｚのマイクロ波周波数、またはＥバンド、すなわち約８０ＧＨｚの周波数を含み得る。
【００６０】
しかしながら、他のいくつかの態様によれば、第１の周波数帯域および第２の周波数帯域は、同じ無線周波数を含む。これは、例えば、エミュレートされる無線伝搬チャネルが、強いＬＯＳ成分と、より散乱性のマルチパスとを、同じ帯域内に含むであろう事例に当てはまり得る。
【００６１】
測定装置１００は、アンテナシステム１１０を囲むように構成された内向きの無線周波数反射壁１２１を有する外側チャンバ１２０を備える。この外側チャンバは、無線周波数反射環境を生成するように構成された既知の残響チャンバと同様である。
【００６２】
とりわけ、測定装置１００は、外側チャンバ１２０の内側に配置することができる内側チャンバ１４０をさらに備える。内側チャンバ１４０は、アンテナシステム１１０を囲むように構成された無線周波数吸収壁１４１を有する。
【００６３】
以下でさらに詳しく論じられるように、無線周波数吸収壁は、第１の周波数帯域において或るレベルの無線周波数信号透過性を有する無線周波数吸収材料からなる囲い部分である。したがって、第１の周波数帯域の無線周波数信号は、内側チャンバの壁を或る程度貫通し、少なくとも１つのアンテナシステム１１０に到達するが、同時に、無線周波数吸収壁は、第２の周波数帯域の無線周波数信号を減衰させる。
【００６４】
いくつかの態様によれば、無線周波数吸収壁１４１は、第２の周波数帯域において、第１の周波数帯域と比べて無線周波数信号の減衰が大きい。
【００６５】
例えば、内側チャンバ１４０の無線周波数吸収壁１４１は、５００ＭＨｚの無線周波数において５ｄＢの無線周波数信号の減衰を有し、６０００ＭＨｚの無線周波数において１５ｄＢの無線周波数信号の減衰を有するように構成され得る。
【００６６】
例えば、内側チャンバ１４０の無線周波数吸収壁１４１は、２０ＧＨｚを上回る無線周波数について約２０ｄＢを上回る無線周波数信号の減衰を有するように構成される。
【００６７】
いくつかの態様によれば、内側チャンバ１４０の無線周波数吸収壁１４１は、第１の周波数帯域と比べて第２の周波数帯域において無線周波数信号の減衰が大きくなるように構成されたメタ材料または周波数選択材料を含む。
【００６８】
本明細書において、「内側に配置することができる」は、内側チャンバが外側チャンバの内部に固定的に取り付けられること、または取り外し可能に取り付けられることを意味する。固定的に取り付けられた内側チャンバは、高水準の再現性を備えた安定した測定の機構をもたらし、これは好都合である。
【００６９】
しかしながら、内側チャンバが外側チャンバ１２０から取り外し可能であるように構成される場合には、測定装置１００を、単に内側チャンバを外側チャンバから取り除くだけで、従来からの残響チャンバに変換することが可能である。また、第２の周波数帯域におけるさまざまな種類の測定動作のために、さまざまな異なる種類の内側チャンバを共通の外側チャンバに組み合わせて使用することができる。さまざまな内側チャンバは、例えば、異なる種類の測定動作のための異なる減衰特性を有するように構成された内側チャンバを含み得る。
【００７０】
いくつかの態様によれば、内側チャンバ１４０は、無線周波数吸収壁１４１を解放可能に保持するように配置されたフレーム構造を備える。
【００７１】
これは、外側チャンバから完全に取り外すことができる内側チャンバと外側チャンバの内部に固定的に取り付けられた内側チャンバとの間の折衷案である。この場合、内側チャンバのフレーム構造またはスケルトン構造が、外側チャンバの内部に固定的に取り付けられる一方で、無線周波数吸収壁１４１を容易に取り外すことが可能である。フレーム構造においてさまざまな種類の吸収壁を使用することにより、さまざまな測定動作を構成することができ、これは好都合である。例えば、減衰などに関して異なる特性を有するさまざまな異なる壁または異なる壁部分を、異なる種類の測定動作および異なる無線周波数帯域に関する試験動作に使用することができる。
【００７２】
第１の試験アンテナ装置１３０が、外側チャンバ１２０の内部に配置され、第１の周波数帯域における測定動作１３１に合わせて構成される。
【００７３】
第１の試験アンテナ装置１３０は、残響チャンバを励起し、無線周波数反射環境における測定動作、すなわち伝統的な残響チャンバにおける測定動作と同様の測定動作を可能にする。
【００７４】
第２の試験アンテナ装置１５０が、内側チャンバ１４０の内部に配置され、第２の周波数帯域における測定動作１５１に合わせて構成される。したがって、無線周波数吸収壁１４１が第１の周波数帯域における或るレベルの無線周波数信号透過性を有しており、すなわち第１の周波数帯域の無線信号が吸収壁を通過するがゆえに、第１の試験アンテナ装置１３０による反射無線周波数環境におけるアンテナシステム１１０の性能の測定、および第２の試験アンテナ装置１５０による本質的に無響の無線周波数環境における性能の測定を、同時に行うことが可能になる。
【００７５】
本明細書において、内側チャンバ１４０が、ＡＣと呼ばれることがある一方で、外側チャンバ１２０は、ＲＣと呼ばれることがある。第１の試験アンテナ装置１３０が、ＲＣアンテナと呼ばれることがある一方で、第２の試験アンテナ装置１５０は、ＡＣプローブと呼ばれることがある。
【００７６】
いくつかの態様によれば、測定装置は、第１の周波数帯域における測定動作１３１および第２の周波数帯域における測定動作１５１を制御するように構成された制御ユニット１６０を備える。この制御ユニットは、図５に関連して以下でさらに詳しく説明される。制御ユニットおよび存在し得る他の電子機器を内側チャンバの外側に配置することが有利であり、これにより、制御ユニットおよび関連の電子機器による測定動作への妨害が最小限に抑えられる。
【００７７】
いくつかの態様によれば、第１の試験アンテナ装置１３０は、第１の周波数帯域における多入力多出力（ＭＩＭＯ）動作に適合したアンテナアレイを備える。
【００７８】
他のいくつかの態様によれば、第２の試験アンテナ装置１５０は、第２の周波数帯域におけるＭＩＭＯ動作に適合したアンテナアレイを備える。
【００７９】
したがって、開示される測定装置は、第１および第２の周波数帯域におけるＭＩＭＯ測定動作に適する。いくつかの態様によれば、第１および／または第２の試験アンテナ装置は、きわめて多数のアンテナ素子を備え、大規模なＭＩＭＯ測定動作を可能にする。
【００８０】
いくつかの態様によれば、無線周波数吸収壁１４１の少なくとも１つは、内向きの無線周波数反射壁１２１から距離Ｄに配置されることで、内向きの無線周波数反射壁１２１と内側チャンバ１４０との間に体積Ｖを定める。残響チャンバは、本質的に、高いＱ値を有する空洞共振器である。電界強度および磁界強度の空間分布は、きわめて不均一である（定在波）。この不均一性を低減するために、１つ以上のモードかくはん器（または、モードチューナ）を使用することができる。かくはん器は、外側チャンバ内でさまざまな境界条件を達成するためにさまざまな向きに移動させることができる金属または他の反射要素を備えた構造物である。残響チャンバの最低使用可能周波数（ＬＵＦ）は、チャンバのサイズおよびチューナの設計に依存する。小さなチャンバは、大きなチャンバよりも高いＬＵＦを有する。結果として、体積Ｖが、残響チャンバのＱ値を或る程度決定し、測定装置のＬＵＦ値に影響を与える。
【００８１】
図２Ａおよび２Ｂを参照すると、いくつかの態様によれば、測定装置２００、２５０は、内向きの無線周波数反射壁１２１と内側チャンバ１４０との間の体積Ｖに配置された少なくとも１つのモードかくはん装置２１０、２２０を備える。少なくとも１つのモードかくはん装置２１０、２２０は、測定装置２００、２５０、３００のフェージング状態を決定するように配置される。モードかくはん装置は、図１には示されていないが、設計を大幅に変更することなく測定装置１００にも配置することができる。
【００８２】
いくつかの態様によれば、再び図１を参照すると、第１の試験アンテナ装置１３０は、無線周波数吸収壁１４１の外側で、内向きの無線周波数反射壁１２１と内側チャンバ１４０との間の体積Ｖに配置される。しかしながら、これは、好ましいが、必須の特徴ではない。随意により、第１の試験アンテナ装置１３０を、内側チャンバ１４０の無線周波数吸収壁１４１によって囲まれるように構成することも可能である。
【００８３】
いくつかの態様によれば、第１の試験アンテナ装置１３０および第２の試験アンテナ装置１５０のいずれも、少なくとも１つのアンテナシステム１１０に対して可動に構成される。可動な試験アンテナ装置は、いくつかの利点を有する。例えば、試験アンテナ装置を動かすことにより、反射電波の位相関係が変化するため、残響チャンバのフェージング状態が変化する。したがって、試験アンテナ装置を動かすことにより、モードかくはん器を動かす効果と同様の効果を得ることができる。したがって、モードかくはん器は、本明細書に開示されて図１に示されている測定装置の本質的な特徴ではないと理解される。また、試験アンテナ装置を少なくとも１つのアンテナシステム１１０に対して動かすことにより、試験対象の１つ以上のアンテナシステムをさまざまな角度から観測して、少なくとも１つのアンテナシステム１１０の特性をより正確に明らかにすることができる。
【００８４】
図２Ａは、外側チャンバ１２０の内側に配置され、少なくとも１つのアンテナシステム１１０を第１の試験アンテナ装置１３０に対して動かすように構成された随意による第１の変位機構２４０を示している。変位機構は、いくつかの態様によれば、ターンテーブルなどを備えることができる。変位機構は、他の態様によれば、例えば、制御ユニット１６０から受信される制御信号に従ってアンテナシステム１１０を変位させるように配置されたロボットアームなどを備えることができる。
【００８５】
とりわけ、第１の変位機構２４０は、アンテナシステム１１０および第２の試験アンテナ装置１５０を含む内側チャンバ１４０全体を変位させるように構成されてよい。これにより、アンテナシステム１１０を変位させるために第１の変位機構１５０を動作させても、内側チャンバの内部に配置されたアンテナシステムの相対的形状に影響が及ぶことがなく、これは、例えば同時のアンテナ図の測定が行われている場合に好都合である。
【００８６】
図２Ａは、内側チャンバ１４０の内側に配置され、少なくとも１つのアンテナシステム１１０を第２の試験アンテナ装置１５０に対して動かすように構成された随意による第２の変位機構２３０をさらに示している。第２の変位機構は、いくつかの態様によれば、やはりターンテーブルなどを備えることができる。しかしながら、第１の変位機構と同様に、第２の変位機構２３０は、他の態様によれば、例えば、制御ユニット１６０から受信されるさらなる制御信号に従ってアンテナシステム１１０を変位させるように配置されたロボットアームなどを備えることができる。
【００８７】
図２Ｂは、第３の変位機構２６０が内側チャンバの内側に配置され、少なくとも１つのアンテナシステム１１０を第１および第２の試験アンテナ装置１３０、１５０に対して動かすように構成された例示的な測定装置２５０を示している。この場合、単一の変位機構を使用して、少なくとも１つのアンテナシステム１１０を第１および第２の試験アンテナ装置１３０、１５０に対して動かすことができる。第３の変位機構は、いくつかの態様によれば、例えば、制御ユニット１６０から受信されるさらなる制御信号に従ってアンテナシステム１１０を変位させるように配置されたターンテーブル、ロボットアーム、などを備えることができる。
【００８８】
図３は、別の例示的な測定装置３００を示している。ＲＣまたは外側チャンバ１２０は、ここでもやはり、制御ユニット１６０に接続された１つまたは複数の固定アンテナ１３０を備える通常のＲＣとして設計されている。制御ユニットは、例えば、図５に関連して後述されるような試験機器を含むことができる。モードかくはん器２１０、２２０が、ＲＣチャンバ内でさまざまなＲＣモードをかくはんまたは生成するように構成される。
【００８９】
ＲＣの内部に、ＡＣまたは内側チャンバ１４０が配置される。ＡＣの設計は、いくつかの側面によれば、ＡＣが遮蔽された囲いではなく、基本的に吸収体のみで製作されることを除き、伝統的なＡＣと同様である。制御ユニット１６０に含まれる任意の試験機器を、ＡＣ固定アンテナ／プローブ１５０ならびにＲＣ試験アンテナ装置１３０に接続することができる。
【００９０】
この構成において、第１の試験アンテナ装置１３０からＤＵＴ１１０に向かう信号の伝送特性は、マルチパスフェージングを示し、したがってＲＩＭＰ伝搬チャネルをもたらすと考えられる。しかしながら、第２の試験アンテナ装置１５０からもたらされる信号の伝送特性は、ＡＣ１４０内の無線周波数信号吸収体ゆえに、マルチパスをほとんど被らないと考えられる。したがって、この構成によれば、少なくとも１つのアンテナシステム１１０の特性を明らかにするために、ＲＣおよびＡＣの強度をそれぞれ利用して、２つの本質的に独立したチャネル特性を同時に生成することができる。
【００９１】
上述のように、ＲＣ伝搬経路とＡＣ伝搬経路との間の区別を向上させるために、ＡＣ吸収体を、随意により、ＡＣ吸収壁を通過するときにＡＣプローブアンテナ１５０に向けられた周波数がＲＣアンテナ１３０に向けられた周波数と比べてより大きく減衰させられるように、周波数選択的にすることができる。
【００９２】
いくつかの態様によれば、第２の試験アンテナ装置１５０は、第２の試験アンテナ装置１５０をアンテナシステム１１０に対して位置決めするように構成されたプローブアンテナ位置決め装置３５０上に配置される。
【００９３】
すべてのＤＵＴインターフェースを、ターンテーブルからケーブルを介してＡＣへと使用することができる。そのようなやり方で、追加のノイズ遮蔽がＡＣ壁における減衰によってもたらされる。
【００９４】
ポジショナおよび他の機構を、ＡＣの外側の変位機構２４０上に配置することで、それらのおそらくは金属製の部品によるＡＣ環境への妨害を少なくすることができる。したがって、いくつかの態様によれば、プローブアンテナ位置決め装置３５０は、少なくとも部分的に内側チャンバ１４０の外側に配置される。
【００９５】
内側チャンバ１４０は、第３の変位機構２６０について図２Ｂに示されているやり方と同様のやり方で、随意により変位機構２４０をさらに覆うように延びてもよいと理解される。
【００９６】
好ましくは、ＡＣプローブアンテナ１５０およびＡＣ内に存在し得る他の金属製の物体は、ＲＣ伝搬経路からの放射がその特定の方向に関して遮られることがないが、例えばＲＣ異方性が導入されることがないようにこれらの障害物の周囲を回折できるように、充分に小さく製作される。
【００９７】
内側チャンバ１４０に導入された吸収体は、ＲＣモードを変化させることによってＲＣ性能を低下させると考えられる。さらに、ＡＣの外側のＲＣ体積Ｖ’がほとんど存在せず、ＲＣ伝播経路のための伝播体積がわずかでしかない床などの特定の方向からの放射は、ＤＵＴアンテナからのこれらの方向と比べて、より大きく減衰させられると考えられる。これらの影響を低減するために、ＡＣ  ＤＵＴポジショナ３５０を使用し、ＡＣ  ＤＵＴポジショナによって生成されるその自由度に従って、ＤＵＴにモードかくはんを被らせることができる。したがって、ＡＣ  ＤＵＴポジショナに可能な限り多くの自由度を含ませることが、ＡＣプローブアンテナにそれらの自由度を実装させる代わりに、有利である可能性がある。
【００９８】
いくつかの態様によれば、第２の試験アンテナ装置１５０は、プローブアンテナ位置決め装置３５０上に配置された複数のプローブアンテナを備える。
【００９９】
無線周波数吸収壁は、さまざまなやり方で実装可能である。例えば、内側チャンバ１４０の無線周波数吸収壁１４１は、カーボン充てん吸収材料を含むことができる。この材料の厚さは、ｄＢで測定される所与の周波数の無線周波数信号の減衰を決定する。厚い吸収性材料は、薄い材料よりも無線周波数信号をより強く減衰させる。所与の厚さの無線周波数信号吸収材料は、より低い無線周波数信号よりも、より高い無線周波数信号をより大きく減衰させる。
【０１００】
換言すると、いくつかの態様によれば、カーボン充てん吸収材料は、減衰に依存した厚さで、第１および第２の周波数帯域におけるカーボン充てん吸収材料の減衰の要件に従って構成される。
【０１０１】
一例によれば、より低い周波数の信号は適度な量の減衰しか被らないが、より高い周波数の信号は吸収体を通過するときにより強く減衰させられるように、限られた厚さのカーボン充てん吸収体が内側チャンバに使用される。この材料の構造は、それ自体は周波数選択性をもたらさないが、薄いため、低い周波数は高い周波数よりも減衰が少なく、或るレベルの無線周波数透過性が得られる。
【０１０２】
ＡＣ１４０を使用して、電力遅延スプレッドを無負荷のＲＣにおける約２００ｎｓから約３５ｎｓまで大幅に減らすことができる。この重い負荷は、チャンバの不確実性を完全に破壊することなく吸収体をＲＣ壁に配置する従来からの吸収方法では達成が困難である。これは、例えば符号間干渉（ＩＳＩ）または他の理由で長い遅延スプレッドに影響されやすい規格、システム、および無線装置を試験するときにきわめて有用である。そのようなシステムの例として、一連の８０２．１１のシステムなどの無線ローカルエリアネットワークシステム、および全地球測位システム（ＧＰＳ）が挙げられる。
【０１０３】
プローブアンテナ、あるいはＡＣまたは内側チャンバ内の第２の試験アンテナ装置１５０を、ＡＣプローブアンテナポジショナまたはホルダ３５０のさまざまな場所に取り付けられた異なる特性を有するいくつかの異なるプローブから製作することができる。例えば、遠方界までの距離が短く、したがって無響領域が大きい小型の無指向性アンテナである１つのプローブが存在できる。また、ＤＵＴが近接場に配置され、無響領域が存在しないが、無線リンクのためにアンテナ利得が必要な大きな利得のアンテナも存在できる。プローブアンテナは、さらなる利得をもたらすために、そのエネルギーをＤＵＴに集中させることさえ可能である。この技術は、異なる偏波アンテナがＡＣ内の異なる位置に配置される異なる偏波の収集にも使用可能である。
【０１０４】
内側チャンバのＡＣ吸収体または無線周波数吸収壁は、好ましくは、チャンバのＲＣ伝搬経路に導入される異方性を最小限に抑えるために、無線周波数信号をすべての方向において等しく吸収するように製作される。これは、例えば円筒形または六角形などのチャンバの対称形状を使用することによって、少なくとも部分的に達成することができる。
【０１０５】
したがって、いくつかの態様によれば、内側チャンバ１４０は、複数の方向に均一なレベルの無線周波数吸収をもたらすように構成された対称形状を有する。
【０１０６】
内側チャンバの形状の不規則性は、無線周波数信号吸収材料の選択、および吸収材料の寸法によって、或る程度補償することが可能である。いくつかの態様によれば、内側チャンバ１４０の無線周波数吸収壁１４１は、内側チャンバ１４０の形状に応じて決定される可変の厚さで構成される。
【０１０７】
図４を参照すると、ＡＣ吸収体の負荷を低減するために、それらを、外側の金属パッチ４２０によって部分的に覆うことができる。これにより、ＲＣ伝搬経路の透過が減少するが、外側チャンバの負荷も減少し、ＲＣ測定の精度が向上する。換言すると、いくつかの態様によれば、内側チャンバ１４０は、内側チャンバ１４０の外面に配置され、外側チャンバ１２０の内向きの無線周波数反射壁１２１に面する１つ以上の無線周波数反射パッチ４２０を備える。
【０１０８】
試験設備のさらなる統合を可能にするために、内側チャンバを温度試験機能と組み合わせることができる。例えば、測定装置は、内側チャンバ１４０内の温度レベルを生成および制御するように配置された随意による熱制御ユニット４１０を備えることができる。
【０１０９】
いくつかの態様によれば、アンテナシステム１１０を囲むように構成された壁１４１は、断熱となるように配置される。
【０１１０】
壁は、いくつかの態様によれば、無線周波数を著しく吸収することなく、断熱のみであり得ると理解される。このように、本明細書において、少なくとも１つの周波数帯域の少なくとも１つのアンテナシステム１１０の性能を測定するための測定装置が開示される。測定装置は、アンテナシステム１１０を囲むように構成された内向きの無線周波数反射壁１２１を有する外側チャンバ１２０と、外側チャンバ内に配置することができる内側チャンバとを備え、内側チャンバは、アンテナシステム１１０を囲むように構成された断熱壁を有する。第１の試験アンテナ装置１３０は、外側チャンバ１２０の内部に配置され、或る周波数帯域での測定動作１３１に合わせて構成される。
【０１１１】
図５は、本明細書における検討の一実施形態による制御ユニット１６０の構成要素をいくつかの機能ユニットに関して概略的に示している。処理回路５１０は、例えば記憶媒体５３０の形態のコンピュータプログラム製品に格納されたソフトウェア命令を実行することができる適切な中央処理装置ＣＰＵ、マルチプロセッサ、マイクロコントローラ、デジタル信号プロセッサＤＳＰ、などのうちの１つまたは複数の任意の組み合わせを使用して提供される。処理回路５１０は、少なくとも１つの特定用途向け集積回路ＡＳＩＣまたはフィールドプログラマブルゲートアレイＦＰＧＡとしてさらに提供されることができる。
【０１１２】
特に、処理回路５１０は、制御ユニット１６０に、図７に関連して説明される方法などの一式の動作またはステップを実行させるように構成される。例えば、記憶媒体５３０が一式の動作を格納することができ、処理回路５１０を、記憶媒体５３０から一式の動作を取り出して、制御ユニット１６０に一式の動作を実行させるように構成することができる。一式の動作を、一式の実行可能命令として提供することができる。したがって、処理回路５１０は、これにより、本明細書に開示の方法を実行するように構成される。
【０１１３】
さらに、記憶媒体５３０は、例えば磁気メモリ、光メモリ、半導体メモリ、または遠隔的に取り付けられたメモリのうちの任意のただ１つまたは組み合わせであってよい永続的な記憶装置を備えることができる。
【０１１４】
制御ユニット１６０は、第１および第２の試験アンテナ装置１３０、１５０ならびに少なくとも１つのアンテナシステム１１０などの少なくとも１つの外部装置との通信のためのインターフェース５２０をさらに備えることができる。したがって、インターフェース５２０は、アナログおよびデジタル構成要素ならびに有線または無線通信のための適切な数のポートを含む１つ以上の送信機および受信機を備えることができる。
【０１１５】
処理回路５１０は、例えばデータおよび制御信号をインターフェース５２０および記憶媒体５３０に送信し、インターフェース５２０からデータおよびレポートを受信し、記憶媒体５３０からデータおよび命令を取り出すことによって、制御ユニット１６０の全体的な動作を制御する。制御ノードの他の構成要素および関連の機能は、本明細書に提示される概念を曖昧にしてしまうことがないように省略されている。
【０１１６】
制御ユニット１６０の中心的な機能は、例えば第１または第２の試験アンテナ装置あるいは少なくとも１つのアンテナシステム１１０へとインターフェース５２０を介して試験信号１６１を送信することである。試験信号は、例えば、制御信号およびデータ信号を含むことができる。試験信号は、ベースバンド信号または無線周波数信号であってよい。
【０１１７】
さらに、制御ユニットは、所定の変位パターンに従い、あるいは何らかのフィードバック信号に応答して適応的に、種々の変位ユニット２３０、２４０の動作を制御するように構成されてよい。
【０１１８】
測定装置が温度制御機能を含む場合、制御ユニットを、内側チャンバの内部および／または外側チャンバの内部の温度を制御するように構成することができる。
【０１１９】
制御ユニットが実行するさまざまな制御プログラムを、記憶媒体５３０に格納することができる。
【０１２０】
ＡＣにおける電力遅延スプレッドは、ＲＣにおける通常の電力遅延スプレッドよりもはるかに小さい。これを補うために、チャネルエミュレータを利用して、時間遅延スプレッドを大きくすることができる。空間遅延スプレッドは、ＲＣ環境によって依然としてもたらされる。換言すると、制御ユニット１６０は、随意により、第１の周波数帯域における測定動作１３１に関連する時間遅延スプレッドを制御するように構成された無線周波数チャネル伝搬エミュレータを備える。無線周波数チャネル伝搬エミュレータを、記憶媒体５３０に格納された命令およびデータにより、処理回路５１０によって実装することができる。
【０１２１】
ＬＯＳ成分およびＲＩＭＰ成分の両方を含む伝搬環境を生成するために、制御ユニットに含まれる試験機器からの信号を、ＡＣプローブアンテナおよびＲＣ固定アンテナへとａ／ｂの比率で分割することができる。これにより、ＤＵＴへの信号の両方の伝搬経路がもたらされる。これは、制御ユニット１６０が、随意により、無線周波数試験信号１６１を第１の試験アンテナ装置１３０と第２の試験アンテナ装置１５０との間で分割することにより、見通し線（ＬＯＳ）動作およびリッチ等方性マルチパス（ＲＩＭＰ）動作の両方を含む測定動作を可能にするように構成されることを意味する。
【０１２２】
制御ユニット１６０は、いくつかの態様によれば、少なくとも１つのアンテナシステム１１０について、第１の試験アンテナ装置１３０へと送信される信号１６１および第１の試験アンテナ装置１３０から受信される信号１６２によるマルチパス環境における試験、ならびに第２の試験アンテナ装置１５０へと送信される信号１６１および第２の試験アンテナ装置１５０から受信される信号１６２によるＬＯＳが支配的な無線電波環境における試験を、同時に行うように構成される。
【０１２３】
制御ユニット１６０は、いくつかの態様によれば、３ＧＰＰ  ＮＲを含む無線装置およびアンテナシステムの試験に適する。
【０１２４】
要約すると、本明細書において、測定装置１００、２００、２５０、３００、４００によって第１の周波数帯域および第２の周波数帯域における少なくとも１つのアンテナシステム１１０の性能を測定するための制御ユニット１６０が開示される。測定装置は、アンテナシステム１１０を囲むように構成された内向きの無線周波数反射壁１２１を有する外側チャンバ１２０と、外側チャンバ１２０の内側に配置することができ、アンテナシステム１１０を囲むように構成された無線周波数吸収壁１４１を有する内側チャンバ１４０と、外側チャンバ１２０の内側に配置され、第１の周波数帯域における測定動作１３１に合わせて構成された第１の試験アンテナ装置１３０と、内側チャンバ１４０の内側に配置され、第２の周波数帯域における測定動作１５１に合わせて構成された第２の試験アンテナ装置１５０とを備え、無線周波数吸収壁１４１が、第１の周波数帯域において或るレベルの無線周波数信号透過性を有することで、制御ユニット１６０によって、アンテナシステム１１０の性能を、第１の試験アンテナ装置１３０によって反射の無線周波数環境において測定でき、第２の試験アンテナ装置１５０によって本質的に無響の無線周波数環境において測定することができる。
【０１２５】
図６は、制御ユニット１６０によって実行可能な一式の動作６１０を含むコンピュータプログラム製品６００を概略的に示している。一式の動作６１０を、制御ユニット１６０内の記憶媒体５３０へとロードすることができる。一式の動作は、図７に関連して後述される方法に相当し得る。
【０１２６】
図６は、本教示によるコンピュータプログラム６１０と、コンピュータプログラムを格納したコンピュータ可読記憶媒体６２０とを含むコンピュータプログラム製品６００を示している。コンピュータプログラム６１０は、制御ユニット１６０によって実行することができる一式の動作を含む。一式の動作を、制御ユニット１６０内の記憶媒体５３０へとロードすることができる。一式の動作は、図７に関連して後述される方法に相当し得る。
【０１２７】
図６の例において、コンピュータプログラム製品６００は、ＣＤ（コンパクトディスク）またはＤＶＤ（デジタル多用途ディスク）またはブルーレイディスクなどの光ディスクとして示されている。コンピュータプログラム製品を、ランダムアクセスメモリ（ＲＡＭ）、読み出し専用メモリ（ＲＯＭ）、消去可能プログラマブル読み出し専用メモリ（ＥＰＲＯＭ）、または電気的消去可能プログラマブル読み出し専用メモリ（ＥＥＰＲＯＭ）などのメモリとして、より具体的にはＵＳＢ（ユニバーサルシリアルバス）メモリまたはコンパクトフラッシュ（登録商標）メモリなどのフラッシュメモリなどの外部メモリにおける装置の不揮発性記憶媒体ストレージメディアとして、具現化させることも可能である。したがって、コンピュータプログラムは、ここでは、図示の光ディスク上のトラックとして概略的に示されているが、コンピュータプログラムは、コンピュータプログラム製品に適した任意のやり方で格納されてよい。
【０１２８】
図７は、測定装置１００、２００、２５０、３００、４００によって第１の周波数帯域および第２の周波数帯域における少なくとも１つのアンテナシステム１１０の性能を測定するための方法を示すフローチャートである。この方法は、外側チャンバ１２０を、アンテナシステム１１０を囲むように内向きの無線周波数反射壁１２１で構成するステップＳ１と、外側チャンバ１２０の内部に配置することができる内側チャンバ１４０を、アンテナシステム１１０を囲むように構成し、無線周波数吸収壁１４１が、第１の周波数帯域において或るレベルの無線周波数信号透過性を有するステップＳ２と、第１の試験アンテナ装置１３０を、外側チャンバ１２０の内部で、第１の周波数帯域における測定動作１３１に合わせて構成するステップＳ３と、第２の試験アンテナ装置１５０を、内側チャンバ１４０の内部で、第２の周波数帯域における測定動作１５１に合わせて構成するステップＳ４と、第１の試験アンテナ装置１３０によって反射の無線周波数環境においてアンテナシステム１１０の性能を測定し、第２の試験アンテナ装置１５０によって本質的に無響の無線周波数環境においてアンテナシステム１１０の性能を測定するステップＳ５とを含む。
【０１２９】
いくつかの態様によれば、この方法は、熱制御ユニット４１０によって測定装置内の温度を制御するステップＳ６を含む。温度制御は、図４に関連してすでに説明されている。
【０１３０】
いくつかの態様によれば、この方法は、少なくとも１つのモードかくはん器２１０、２２０を制御するステップＳ７を含む。モードかくはん器は、図３および４に関連してすでに説明されている。
【０１３１】
いくつかの態様によれば、この方法は、第１および第２の試験アンテナ装置のいずれかに対する少なくとも１つのアンテナシステムの相対位置を調整するために、少なくとも１つの変位機構２３０、２４０を制御するステップＳ８を含む。変位機構は、図２Ａおよび２Ｂ、ならびに図３に関連してすでに説明されている。
【０１３２】
いくつかの態様によれば、この方法は、第１の周波数帯域における測定動作１３１に関連する時間遅延スプレッドを制御するために、無線周波数チャネル伝搬環境をエミュレートするステップＳ９を含む。これは、大きな遅延スプレッドに影響されやすい無線規格について試験が実行されている状況において、好都合であり得る。マルチパス環境においては、異なる伝搬経路が異なる時点に受信機に到達する。これにより、例えば２つの伝搬経路の間の時間差が通信シンボルの持続時間よりも大きい場合に、符号間干渉が発生する可能性がある。この場合、前のシンボルが後のシンボルと干渉し、通信が途絶えたり、損なわれたりする可能性がある。この種の干渉に影響されやすいシステムは、ＲＣにおける試験が困難になり得る。試験を容易にするために、ＲＣ内にマイクロ波吸収材料を配置することによって、ＲＣ信号の遅延スプレッドを減少させることができる。これは、通常は、「遅延スプレッドの調整」と称される。これを行うために、チャンバの壁に吸収材料を配置することが一般的である。本明細書に記載の内容など、装置を（半）吸収材料で完全に囲むことは、遅延スプレッドを制御された量にて著しく減少させるための新規な代替の方法を呈する。この方法のさらなる利点は、ＤＵＴがすべての方向において等しい減衰を被るため、測定精度が低下しないことである。
【０１３３】
いくつかの態様によれば、この方法は、無線周波数試験信号を第１の試験アンテナ装置１３０と第２の試験アンテナ装置１５０との間で分割することにより、見通し線（ＬＯＳ）動作およびリッチ等方性マルチパス（ＲＩＭＰ）動作の両方を含む測定動作を可能にするステップＳ１０を含む。
【０１３４】
潜在的に、図１〜４に示される第２の試験アンテナ装置は、きわめて平面な波面を生成しない。これは、おそらくは、平面な波面を必要とする一部の試験の状況において問題となり得る。
【０１３５】
図８Ａは、第２の試験アンテナ装置１５０’の一部が内側チャンバ１４０の外へと移動しているが、依然として外側チャンバ１２０の内側に位置している例示的な測定装置８００を示している。第２の試験アンテナ装置は、ここでは、指向性アンテナであり、例えばホーンアンテナ、レンズホーンアンテナ、反射アンテナ、または指向性の放射パターンを有するように構成されたアンテナアレイである。
【０１３６】
反射アンテナの実施形態は、いわゆるコンパクトアンテナテストレンジ（ＣＡＴＲ）に対応し、伝統的な自由空間法を使用したのではアンテナシステム１１０への遠方界間隔を得ることが実行不可能であると考えられる周波数におけるアンテナシステムの便利な試験を提供するために使用することができる。ＣＡＴＲは、球面の波面を放射するソースアンテナと、１つ以上の２次反射器とを使用して、放射された球面の波面を平行にして、所望の試験ゾーンにおける平面の波面にする。これを達成するために、１つの典型的な実施形態は、ホーンフィードアンテナおよび放物面反射鏡を使用する。ＣＡＴＲは既知であり、ここではこれ以上詳しくは説明しない。
【０１３７】
開口部８１０が、第２の試験アンテナ装置１５０’の主ローブのかなりの部分が比較的妨げられることなく内側チャンバへと入ることができるように、内側チャンバ１４０の壁に配置される。このようにして、第２の試験アンテナ装置の有効放射は、依然として主に内側チャンバ内にあり、したがって第２の試験アンテナ装置を、すべての実際的な目的に関して内側チャンバ内に含まれていると称することができる。しかしながら、今やアンテナシステム１１０と第２の試験アンテナ装置との間の距離がより長くなったため、第２の周波数帯域における測定動作１５１’に関してアンテナ装置１１０から見た波面は、平面波により近いものになる。換言すると、第２の周波数帯域における測定動作１５１’が、今や比較的大きな空間的広がりを有する平面波のような波動励起を使用して実行され、これは、いくつかの試験の状況において有利である。
【０１３８】
要約すると、図８Ａは、内側チャンバ１４０の無線周波数吸収壁１４１のうちの少なくとも１つが、外側チャンバ１２０への開口部８１０を有する測定装置８００を示している。第２の試験アンテナ装置１５０’の少なくとも一部は、内側チャンバ１４０の外に配置され、主ローブを有する指向性アンテナとして構成される。この主ローブは、第２の試験アンテナ装置１５０’による送信が主に内側チャンバ１４０の内側に配置されるよう、開口部８１０へと向けられるように配置され、したがって第１の試験アンテナ装置１３０による反射無線周波数環境におけるアンテナシステム１１０の性能の測定および第２の試験アンテナ装置１５０’による本質的に無響の無線周波数環境におけるアンテナシステム１１０の性能の測定を可能にする。
【０１３９】
いくつかの態様によれば、開口部８１０は、第２の試験アンテナ装置１５０’の一部分から距離Ｄ２に配置され、距離Ｄ２における主ローブのアンテナ図に一致する形状を有する。これは、開口部が、第２の試験アンテナ装置からの送信エネルギーの大部分を通過させるように充分に大きいが、第２の試験アンテナ装置１５０’による本質的に無響の無線周波数環境における測定性能を妨げるほどには大きすぎないことを意味する。開口部は、円形である必要はなく、楕円形または他の形状の開口部も可能である。開口部の好ましい形状を、コンピュータシミュレーションの実験によって決定することができる。さらに、開口部を、異なるアンテナ放射パターンを有するさまざまな種類の第２の試験アンテナ装置に適合させることができ、あるいは距離Ｄ２の変更に適合させることができるように、構成の変更が可能であるように構成することもできる。
【０１４０】
図８Ｂは、外側および内側チャンバを備える例示的な測定装置８２０を示している。内側チャンバ１４０は、その壁のうちの１つに開口部８１０を有する。指向性アンテナ１５０’が、第２の試験アンテナ装置として配置され、開口部８１０へと放射を行うように構成される。
【０１４１】
図８Ａおよび８Ｂに示される例示的な測定装置８００は、上記の議論に矛盾しないと理解される。したがって、図１〜４に関連して論じられたすべての特徴は、開口部８１０が内側チャンバの壁に配置され、第２の試験アンテナ装置が少なくとも部分的に内側チャンバの外に配置される場合にも適用可能である。
【０１４２】
いくつかの態様によれば、アンテナ装置１５０または１５０’を、主反射器を有し、おそらくは副反射器を有する反射アンテナとして配置することができる。この種類または装置は、アンテナ試験においてよく知られている。反射器は、ホーンアンテナからの球面の放射波を平面波に変換するために使用される。この装置は、コンパクトアンテナテストレンジ（ＣＡＴＲ）として知られている。この構成は、装置１００、２００、２５０、３００、４００、８００、または９００と互換性がある。
【０１４３】
内側チャンバ１４０を外側チャンバ１４０の内部に配置する場合の潜在的な問題は、ＲＩＭＰ環境への悪影響である。これは、少なくとも部分的には、外側チャンバの壁と内側チャンバの壁との間に空間があまり残されていないため、利用可能な伝播経路が限られ、したがって伝播経路の分布に影響が及ぶ可能性があるからである。
【０１４４】
図９Ａは、内側チャンバ１４０の無線周波数吸収壁１４１の少なくとも一部分が、外側チャンバ１２０の内向きの無線周波数反射壁１２１に接続して配置された周波数選択反射壁９１０である別の例示的な測定装置９００を示している。周波数選択反射壁９１０は、第１の周波数帯域の無線周波数信号を反射し、第２の周波数帯域の無線周波数信号を吸収するように配置されることで、アンテナシステム１１０について第１の試験アンテナ装置１３０による反射無線周波数環境における性能の測定および第２の試験アンテナ装置１５０’による本質的に無響の無線周波数環境における性能の測定を可能にする。
【０１４５】
このようにして、第２の周波数帯域の信号などの高い周波数の無線信号は、周波数選択反射壁９１０へと伝播し（９２１）、そこで減衰させられ、あるいは吸収される。第１の周波数帯域の無線周波数信号などのより低い無線周波数信号は、周波数選択反射壁９１０によって反射される（９２０）。したがって、周波数選択反射壁９１０は、上述の測定装置の例と比較して、外側チャンバ内のＲＩＭＰ環境に対する影響がより限定的である一方で、第２の周波数帯域の無線周波数信号に対して吸収効果を有し、したがって内側チャンバの他の無線周波数吸収壁１４１と同じように機能する。
【０１４６】
グレーチング構造の例が図９Ｂに示されている。
【０１４７】
いくつかの態様によれば、周波数選択反射壁９１０は、無線周波数吸収材料９４０の層と、周波数選択反射壁９１０のうちの内側チャンバ１４０に面する側、すなわちＤＵＴに面する側に配置されたグレーチング構造９３０とを備える。グレーチング構造は、第１の周波数帯域の無線周波数信号を反射するが、第２の周波数帯域の無線周波数信号は通過させるように構成された寸法を有する格子またはラチスである。
【０１４８】
いくつかの態様によれば、グレーチング構造９３０は、第２の周波数帯域の無線周波数信号を通過させる寸法を有する穴を備えた金属骨格を備える。
【０１４９】
いくつかの態様によれば、グレーチング構造９３０は、第２の周波数帯域の無線周波数信号を通過させる寸法を有する開口部を備えたハニカム金属骨格を備える。
【０１５０】
いくつかの態様によれば、内側チャンバ１４０の壁１４１’の少なくとも一部分が、外側チャンバ１２０の内向きの無線周波数反射壁１２１に接続して配置された「ステルス」周波数反射壁９７０である。反射壁９７０は、無線周波数信号をアンテナシステム１１０から遠ざかるように反射させ、すなわちステルス面のように作用するように構成されることで、アンテナシステム１１０について第１の試験アンテナ装置１３０による反射無線周波数環境における性能の測定および第２の試験アンテナ装置１５０’による本質的に無響の無線周波数環境における性能の測定を可能にする。
【０１５１】
これは、第２の試験アンテナ装置１５０、１５０’からの電磁放射がただ１つの方向からのみアンテナシステム１１０に到達するからである。壁１４１’のこの部分に到達する第２の試験アンテナ装置からの信号は、アンテナシステム１１０から遠ざかるように反射される。他の方向から到来する信号は、内側チャンバの壁によって減衰させられる。この原理が、図９Ｃに示されており、第２の試験アンテナ装置１５０からの送信９６０は、アンテナシステム１１０を通過するが、その後に「ステルス」反射壁９７０によってアンテナシステム１１０から遠ざかるように反射される。
【０１５２】
一例によれば、反射壁９７０は、入射する信号が、ある角度の出射方向に反射されるように、反射壁上に配置されたピラミッド形状を使用して実現可能である。
【図１】
2021536002.tif 000003
【図２Ａ−２Ｂ】
2021536002.tif 000004
【図３】
2021536002.tif 000005
【図４】
2021536002.tif 000006
【図５】
2021536002.tif 000007
【図６】
2021536002.tif 000008
【図７】
2021536002.tif 000009
【図８Ａ−８Ｂ】
2021536002.tif 000010
【図９Ａ−９Ｃ】
2021536002.tif 000011
【国際調査報告】
2021536002.tif 000012
2021536002.tif 000013
2021536002.tif 000014